(57)【要約】【課題】複数の無線端末装置で共通に取得される同報情報を中継送信する際の情報処理量を低減することが可能な情報転送装置を提供する。【解決手段】複数の無線端末装置で共通に取得される同報情報を要求する要求情報を、複数の無線端末装置との間で無線通信を行う基地局から取得する要求情報取得部と、要求情報を同報情報の送信源である情報源装置に送信する要求情報送信部と、要求情報に応答した情報源装置が送信した同報情報を取得する同報情報取得部と、複数の基地局のうち要求情報を送信した基地局に同報情報を送信する同報情報送信部と、を備えることを特徴とする。【選択図】図１
2009049830.tif 000002
【特許請求の範囲】
【請求項１】
複数の無線端末装置で共通に取得される同報情報を当該同報情報の送信源である情報源装置に対して要求する要求情報を、複数の無線端末装置との間で無線通信を行う基地局から取得する要求情報取得部と、
前記要求情報を前記情報源装置に送信する要求情報送信部と、
前記要求情報に応じて前記情報源装置が送信した前記同報情報を取得する同報情報取得部と、
前記要求情報を送信した基地局にのみ前記同報情報取得部が取得した前記同報情報を送信する同報情報送信部と、
を備えることを特徴とする情報転送装置。
【請求項２】
請求項１に記載の情報転送装置であって、
それぞれ互いに異なる識別符号が割り当てられ、それぞれ異なる基地局に接続される複数の通信ポートと、
前記同報情報を識別する識別符号と、当該同報情報を送信すべき通信ポートに割り当てられた識別符号と、を対応付けた対応情報を生成して記憶する対応情報管理部と、
を備え、
前記同報情報送信部は、
前記同報情報取得部が取得した前記同報情報と前記対応情報とに基づいて通信ポートを指定し、当該指定した通信ポートから前記同報情報取得部が取得した前記同報情報を送信することを特徴とする情報転送装置。
【請求項３】
請求項２に記載の情報転送装置であって、
前記要求情報取得部は、
前記要求情報を送信した基地局が接続される通信ポートから当該要求情報を取得し、
前記対応情報管理部は、
前記要求情報取得部が前記要求情報を取得した通信ポートに割り当てられた識別符号と、当該要求情報によって要求される前記同報情報を識別する識別符号と、を対応付けることによって前記対応情報を生成することを特徴とする情報転送装置。
【発明の詳細な説明】
【技術分野】
【０００１】
本発明は、取得した情報を基地局を介して無線端末装置に送信する情報転送装置に関する。
【背景技術】
【０００２】
公衆が利用可能な公衆通信網との間で通信を行う複数の無線基地局を設け、複数の無線基地局のうちいずれかとの間の無線通信によって公衆通信網との間で情報の送受信を行うことを可能にした通信システムが広く用いられる。
【０００３】
図５にそのような通信システム１００の構成を示す。通信システム１００は公衆通信網１０、情報転送装置１２、無線基地局１４−１〜１４−３、ならびに無線端末装置１６−１〜１６−ｎを備えて構成される。ｎは無線端末装置の数を表す正の整数である。情報転送装置１２には、通信システム１００で識別されるためのアドレスが予め割り当てられる。
【０００４】
公衆通信網１０は、情報源装置１０Ａおよび通信網１０Ｂを備えて構成される。情報源装置１０Ａは通信網１０Ｂを介して情報転送装置１２に接続される。また、無線基地局１４−１〜１４−３は情報転送装置１２に接続される。
【０００５】
無線端末装置１６−１〜１６−ｎのうちの１つである無線端末装置１６−ｋは（ｋは１〜ｎの整数）、無線基地局１４−１〜１４−３との間の予備的な無線通信によって、無線基地局１４−１〜１４−３のうち通信状態を最も良好に維持することができるものを無線通信を行う選択局として選択する。無線端末装置１６−ｋは、選択局を介した情報転送装置１２との間の予備的な通信により、通信網１０Ｂとの間の通信を行うための情報を取得する。また、情報転送装置１２は、選択局を介した無線端末装置１６−ｋとの間の予備的な通信により、通信網１０Ｂと無線端末装置１６−ｋとの間の中継通信を行うための情報を取得する。このようにして、通信網１０Ｂと無線端末装置１６−ｋとの間の通信経路が確立される。また、同様にして、通信網１０Ｂと無線端末装置１６−ｋとは異なる他の無線端末装置との間の通信経路が確立される。
【０００６】
情報源装置１０Ａは、同一の無線基地局を選択局とする複数の無線端末装置に同一の情報を送信するための同報パケット情報を送信することができる。同報パケット情報は、同報パケット情報の送信を要求するための配信要求情報が、同一の無線基地局を選択局とする複数の無線端末装置のうちの少なくとも１つから情報源装置１０Ａに送信された場合に情報源装置１０Ａから送信される。
【０００７】
以下、無線基地局１４−２を選択局とする無線端末装置１６−ｋに同報パケット情報を送信する処理について説明する。
【０００８】
情報源装置１０Ａは、同報パケット情報を送信することができる旨を通知する配信可能情報を通信網１０Ｂを介して情報転送装置１２に送信する。情報転送装置１２は、情報転送装置１２に接続される総ての無線基地局に配信可能情報を送信する。いまの場合、情報転送装置１２は、無線基地局１４−１〜１４−３に配信可能情報を送信する。無線基地局１４−１〜１４−３は、自らを選択局とする総ての無線端末装置に配信可能情報を送信する。
【０００９】
配信可能情報を取得した無線端末装置１６−ｋは、同報パケット情報の送信を要求する場合には、その旨を通知するための配信要求情報を選択局である無線基地局１４−２に送信する。無線基地局１４−２は、配信要求情報を情報転送装置１２に送信する。情報転送装置１２は、配信要求情報に情報転送装置１２のアドレスを含ませ、通信網１０Ｂを介して情報源装置１０Ａに送信する。
【００１０】
情報源装置１０Ａは配信要求情報に含まれる情報転送装置１２のアドレスを登録する。そして、登録したアドレスに基づいて、同報パケット情報を通信網１０Ｂを介して情報転送装置１２に送信する。
【００１１】
情報転送装置１２は、情報転送装置１２に接続される総ての無線基地局１４−１〜１４−３に同報パケット情報を送信する。無線基地局１４−１〜１４−３は、自らを選択局とする総ての無線端末装置に共通に割り当てられた共通アドレスを宛先アドレスとして含む同報パケット情報を送信する。無線端末装置１６−ｋは、共通アドレスに基づいて無線基地局１４−２から送信された同報パケット情報を取得する。
【００１２】
【非特許文献１】http://www.ietf.org/rfc/rfc3344.txt?number=3344
【非特許文献２】http://www.ietf.org/rfc/rfc3344.txt?number=3220
【非特許文献３】http://www.ietf.org/rfc/rfc3344.txt?number=2002
【非特許文献４】http://www.ietf.org/internet-drafts/draft-ietf-mobileip-lowlatency-handoffs-v4-11.txt
【発明の開示】
【発明が解決しようとする課題】
【００１３】
情報源装置１０Ａは、情報転送装置を１つの単位として同報パケット情報の送信先を登録する。そのため、無線端末装置１６−１〜１６−ｎのうち１つのみが情報源装置１０Ａに配信要求情報を送信した場合であっても、当該配信要求情報の送信の際に介在した情報転送装置１２が同報パケット情報の送信先とされ、情報転送装置１２に接続される総ての無線基地局に同報パケット情報が送信される。したがって、配信要求情報を送信していない無線端末装置が選択局とする無線基地局にも同報パケット情報が送信されることとなり、情報転送装置１２が処理すべき情報量が増大するという問題がある。
【００１４】
本発明はこのような課題に対してなされたものであり、複数の無線端末装置で共通に取得される同報情報を中継送信する際の情報処理量を低減することが可能な情報転送装置を提供する。
【課題を解決するための手段】
【００１５】
本発明は、複数の無線端末装置で共通に取得される同報情報を当該同報情報の送信源である情報源装置に対して要求する要求情報を、複数の無線端末装置との間で無線通信を行う基地局から取得する要求情報取得部と、前記要求情報を前記情報源装置に送信する要求情報送信部と、前記要求情報に応じて前記情報源装置が送信した前記同報情報を取得する同報情報取得部と、前記要求情報を送信した基地局にのみ前記同報情報取得部が取得した前記同報情報を送信する同報情報送信部と、を備えることを特徴とする。
【００１６】
また、本発明に係る情報転送装置においては、それぞれ互いに異なる識別符号が割り当てられ、それぞれ異なる基地局に接続される複数の通信ポートと、前記同報情報を識別する識別符号と、当該同報情報を送信すべき通信ポートに割り当てられた識別符号と、を対応付けた対応情報を生成して記憶する対応情報管理部と、を備え、前記同報情報送信部は、前記同報情報取得部が取得した前記同報情報と前記対応情報とに基づいて通信ポートを指定し、当該指定した通信ポートから前記同報情報取得部が取得した前記同報情報を送信する構成とすることが好適である。
【００１７】
また、本発明に係る情報転送装置においては、前記要求情報取得部は、前記要求情報を送信した基地局が接続される通信ポートから当該要求情報を取得し、前記対応情報管理部は、前記要求情報取得部が前記要求情報を取得した通信ポートに割り当てられた識別符号と、当該要求情報によって要求される前記同報情報を識別する識別符号と、を対応付けることによって前記対応情報を生成する構成とすることが好適である。
【発明の効果】
【００１８】
本発明に係る情報転送装置によれば、複数の無線端末装置で共通に取得される同報情報を中継送信する際の情報処理量を低減することができる。
【発明を実施するための最良の形態】
【００１９】
図１に本発明の実施形態に係る通信システム１０２の構成を示す。通信システム１０２は公衆通信網１０、情報転送装置１２、無線基地局１４−１〜１４−３、ならびに無線端末装置１６−１〜１６−ｎを備えて構成される。図５の通信システム１００と同一の構成部については同一の符号を付してその説明を省略する。
【００２０】
情報源装置１０Ａは、データ記憶部１０Ｃおよび配信先記憶部１０Ｄを備える。データ記憶部１０Ｃは、同報パケット情報によって無線端末装置１６−１〜１６−ｎに送信することが可能なテキスト情報、画像情報、動画像情報、音声情報等の同報データを記憶する。データ記憶部１０Ｃは、異なる複数の同報データを記憶することが可能である。配信先記憶部１０Ｄは、同報データを識別するインデックス符号と同報データを送信すべき情報転送装置のアドレスとを対応付けた同報データテーブルＣＴを記憶する。
【００２１】
情報転送装置１２は、テーブル記憶部１８、通信ポート２０−０〜２０−３を備える。テーブル記憶部１８は、情報を送信する通信ポートを指定するために参照するテーブルを記憶する。テーブル記憶部１８に記憶されるテーブルについては通信システム１０２で実行される処理と共に説明する。通信ポート２０−０には通信網１０Ｂが接続され、通信ポート２０−１〜２０−３にはそれぞれ無線基地局１４−１〜１４−３が接続される。
【００２２】
情報転送装置１２には、公衆通信網１０で識別されるためのＩＰアドレスＡ１２が割り当てられる。無線端末装置１６−１〜１６−ｎには、ＩＰアドレスＭＰ１〜ＭＰｎがそれぞれ割り当てられる。また、情報転送装置１２の通信ポート２０−０〜２０−３には、ポート識別符号Ｐ０〜Ｐ３が割り当てられる。ポート識別符号は、情報転送装置１２が実行する処理において通信ポートを識別するための符号である。
【００２３】
無線端末装置１６−１〜１６−ｎのうちの１つである無線端末装置１６−ｋと情報源装置１０Ａとの間の通信経路を確立する処理について、図２のシーケンス図を参照して説明する。
【００２４】
無線端末装置１６−ｋは、無線基地局１４−１〜１４−３との間の予備的な無線通信によって、無線基地局１４−１〜１４−３のうち通信状態を最も良好に維持することができるものを選択局として選択する（Ｓ１）。
【００２５】
情報転送装置１２は、選択局を介在させた無線端末装置１６−ｋとの間の予備的な通信ＳＣ１により、テーブル記憶部１８に記憶されるルーティングテーブルＲＴを更新する（Ｓ２）。ルーティングテーブルＲＴは、送信する情報の宛先を示すアドレスに基づいて、通信ポート２０−０〜２０−３のうち当該情報を送信すべきものを指定するためのテーブルである。また、無線端末装置１６−ｋは、選択局を介在させた情報転送装置１２との間の予備的な通信ＳＣ１により、選択局を介在させて情報転送装置１２および通信網１０Ｂとの間の通信を行うためのルーティング情報を取得する（Ｓ３）。
【００２６】
このような処理によって、情報転送装置１２は、無線端末装置１６−ｋに情報を送信する際に介在させるべき通信ポートをルーティングテーブルＲＴに基づいて指定することが可能な状態となる。また、無線端末装置１６−ｋは、選択局を介在させた情報転送装置１２および通信網１０Ｂとの間の通信が可能な状態となる。これによって、無線端末装置１６−ｋと情報転送装置１２との間の通信経路が確立される。
【００２７】
情報源装置１０Ａが、通常のパケット情報を無線端末装置１６−ｋに送信する処理について説明する。パケット情報は、図３（ａ）に示すようにヘッダ部Ｈｄおよびデータ部Ｄａｔから構成される。ヘッダ部Ｈｄは宛先アドレス領域Ｄｓｔを含む。宛先アドレス領域Ｄｓｔにはパケット情報の宛先を示す宛先アドレスが設定される。データ部Ｄａｔには送信の対象とするテキスト情報、画像情報、動画像情報、音声情報等のデータが含まれる。
【００２８】
情報源装置１０Ａは、宛先アドレスとしてＩＰアドレスＭＰｋを設定したパケット情報を通信網１０Ｂに送信する。通信網１０Ｂでは、宛先アドレスに基づいてパケット情報が中継送信され、情報源装置１０Ａから送信されたパケット情報は情報転送装置１２に送信される。
【００２９】
情報転送装置１２は、パケット情報の宛先アドレスおよびルーティングテーブルＲＴに基づいて、通信ポート２０−０〜２０−３のうちのいずれかを指定する。そして、通信ポート２０−１〜２０−３のうちのいずれかを指定した場合には、指定した通信ポートに接続される無線基地局を介して無線端末装置にパケット情報を送信する。いまの場合、宛先アドレスとしてＩＰアドレスＭＰｋが設定されており、情報転送装置１２は、ルーティングテーブルＲＴに基づいて通信ポート２０−２を指定し、通信ポート２０−２からパケット情報を送信する。無線基地局１４−２は通信ポート２０−２から取得したパケット情報を送信する。無線端末装置１６−ｋは無線基地局２０−２から送信されたパケット情報を宛先アドレスに基づいて取得する。このようにして、情報源装置１０Ａから送信されたパケット情報は、通信網１０Ｂ、情報転送装置１２、通信ポート２０−２および無線基地局１４−２を介して無線端末装置１６−ｋで取得される。
【００３０】
次に、無線端末装置１６−ｋが同報パケット情報を取得するために事前に行われる処理、および情報源装置１０Ａが同報パケット情報を送信する処理について図２のシーケンス図を参照して説明する。情報源装置１０Ａは、データ記憶部１０Ｃが記憶する複数の同報データのうちの１つについて、その同報データを識別するインデックス符号を含む配信可能情報を生成する（Ｓ４）。配信可能情報は、それに含まれるインデックス符号によって識別される同報データを送信することができる旨を無線端末装置１６−１〜１６−ｎに通知するための情報である。
【００３１】
情報源装置１０Ａは、配信可能情報を通信網１０Ｂを介して情報転送装置１２に送信する（Ｓ５）。
【００３２】
情報転送装置１２は、情報転送装置１２に接続される総ての無線基地局１４−１〜１４−３に配信可能情報を送信する。無線基地局１４−１〜１４−３は、自らを選択局とする総ての無線端末装置に配信可能情報を送信する（Ｓ６）。
【００３３】
無線端末装置１６−ｋは、取得した配信可能情報からインデックス符号を抽出する（Ｓ７）。無線端末装置１６−ｋはインデックス符号で識別される同報データを取得することが可能である旨の情報を、無線端末装置１６−ｋが備える表示部（図示せず）に表示する（Ｓ８）。
【００３４】
無線端末装置１６−ｋは、表示に係る同報データをユーザが取得することを希望し、ユーザによって当該同報データを取得するための操作がなされたときは、配信可能情報から抽出されたインデックス符号を含む配信要求情報を生成する（Ｓ９）。
【００３５】
無線端末装置１６−ｋは、選択局である無線基地局１４−２を介して情報転送装置１２に配信要求情報を送信する（Ｓ１０）。情報転送装置１２は、取得した配信要求情報からインデックス符号を抽出する（Ｓ１１）。そして、抽出したインデックス符号と配信要求情報を取得した通信ポートのポート識別符号とを対応付けた情報を、テーブル記憶部１８に記憶される同報配信テーブルＤＴに登録する（Ｓ１２）。いまの場合、情報転送装置１２は、抽出したインデックス符号とポート識別符号Ｐ２とを対応付けた情報を登録する。
【００３６】
図４（ａ）に同報配信テーブルＤＴの例を示す。この例では、インデックス符号ＤＸ１に対し、ポート識別符号Ｐ２が対応付けられている。同一のインデックス符号を含む配信要求情報が複数の通信ポートから取得された場合には、１つのインデックス符号に対して複数のポート識別符号が対応付けられる。この場合には、複数のポート識別符号を「／」等の所定の符号で区切ってインデックス符号に対応付ければよい。例えば、インデックス符号ＤＸ１を含む配信要求情報が通信ポート２０−１および２０−２から取得された場合、同報配信テーブルＤＴは図４（ｂ）のようになる。
【００３７】
同報配信テーブルＤＴには、データ記憶部１０Ｃで記憶される総ての同報データのインデックス符号についての対応関係を登録することが可能である。
【００３８】
情報転送装置１２は、配信要求情報に自らのＩＰアドレスＡ１２を含ませる（Ｓ１３）。そして、通信網１０Ｂを介して情報源装置１０Ａに配信要求情報を送信する（Ｓ１４）。
【００３９】
情報源装置１０Ａは、配信要求情報からインデックス符号およびＩＰアドレスを抽出する（Ｓ１５）。そして、インデックス符号とＩＰアドレスとを対応付け、配信先記憶部１０Ｄに記憶される同報データテーブルＣＴに登録する（Ｓ１６）。図４（ｃ）に同報データテーブルＣＴの例を示す。この例では、インデックス符号ＤＸ１に対し、ＩＰアドレスＡ１２が対応付けられている。仮に、同一のインデックス符号を含む配信要求情報が、通信網１０Ｂに接続される他の情報転送装置（図示せず）から取得された場合には、図４（ｂ）の例に従い、複数のＩＰアドレスを符号「／」等で区切った上でインデックス符号に対応付ければよい。
【００４０】
同報データテーブルＣＴには、データ記憶部１０Ｃで記憶される総ての同報データのインデックス符号についての対応関係を登録することが可能である。
【００４１】
ステップＳ４〜Ｓ１６の処理によって、情報転送装置１２の同報配信テーブルＤＴにおいては、インデックス符号と、当該インデックス符号を含む配信要求情報が取得された通信ポートのポート識別符号とが対応付けられる。また、情報源装置１０Ａの同報データテーブルＣＴにおいては、インデックス符号と、当該インデックス符号で識別される同報データを送信すべき情報転送装置のＩＰアドレスとが対応付けられる。
【００４２】
ステップＳ４〜Ｓ１６の処理は、情報源装置１０Ａのデータ記憶部１０Ｃに記憶される総ての同報データについて行われる。これによって、データ記憶部１０Ｃに記憶される総ての同報データのそれぞれを識別するインデックス符号のそれぞれについての対応関係が、同報配信テーブルＤＴおよび同報データテーブルＣＴに登録され、情報源装置１０Ａが同報パケット情報を送信するための送信経路が確立される。
【００４３】
次に、情報源装置１０Ａが、同報パケット情報を無線端末装置に送信する処理について説明する。同報パケット情報は、図３（ｂ）に示すようにヘッダ部Ｈｄおよびデータ部Ｄａｔから構成される。ヘッダ部Ｈｄは宛先アドレス領域Ｄｓｔ、識別子Ｂおよびインデックス符号領域ＤＸＲを含む。宛先アドレス領域Ｄｓｔには同報パケット情報の宛先を示す宛先アドレスが設定される。識別子Ｂはパケット情報が同報パケット情報であることを示すための識別子である。インデックス符号領域ＤＸＲには、データ部Ｄａｔに含ませた同報データを識別するインデックス符号が設定される。データ部Ｄａｔには送信の対象とする同報データを含ませる。
【００４４】
情報源装置１０Ａは、同報データテーブルＣＴに新たな対応関係が登録されると、新たに登録された対応関係に係るインデックス符号で識別される同報データをデータ記憶部１０Ｃから取得する。そして、新たに登録された対応関係に係るＩＰアドレスを宛先アドレスとして設定し、新たに登録された対応関係に係るインデックス符号をインデックス符号領域ＤＸＲに設定し、データ記憶部１０Ｃから取得した同報データをデータ部Ｄａｔに含ませた同報パケット情報を生成する。
【００４５】
例として、図４（ｃ）に示されるように、同報データテーブルＣＴにインデックス符号ＤＸ１とＩＰアドレスＡ１２との対応関係が新たに登録された場合についてとりあげる。この場合、情報源装置１０Ａは、宛先アドレスとしてＩＰアドレスＡ１２を設定し、インデックス符号ＤＸ１をインデックス符号領域ＤＸＲに設定し、データ部Ｄａｔにインデックス符号ＤＸ１で識別される同報パケット情報を含ませた同報パケット情報を生成する。
【００４６】
情報源装置１０Ａは、同報パケット情報を通信網１０Ｂに送信する。通信網１０Ｂでは、宛先アドレスに基づいてパケット情報が中継送信される。いまの場合、情報源装置１０Ａから送信された同報パケット情報は、情報転送装置１２に送信される。
【００４７】
情報転送装置１２は、宛先アドレスおよび識別子Ｂに基づいて、当該パケット情報が情報転送装置１２に宛てられた同報パケット情報であることを検出すると、インデックス符号領域ＤＸＲに設定されているインデックス符号を抽出する。そして、同報配信テーブルＤＴを参照し、抽出したインデックス符号に対応付けられているポート識別符号を取得する。いまの場合、インデックス符号領域ＤＸＲからインデックス符号ＤＸ１が抽出される。そして、図４（ａ）に示される同報配信テーブルＤＴにおいてはインデックス符号ＤＸ１に対してポート識別符号Ｐ２が対応付けられているため、ポート識別符号Ｐ２が取得される。
【００４８】
情報転送装置１２は、同報配信テーブルＤＴから取得したポート識別符号で識別される通信ポートから同報パケット情報を送信する。通信ポートから同報パケット情報を取得した無線基地局は、その無線基地局を選択局とする総ての無線端末装置に共通に割り当てられた共通アドレスを宛先アドレスとして含ませた同報パケット情報を生成し送信する。いまの場合、情報転送装置１２は、同報パケット情報を通信ポート２０−２から送信する。通信ポート２０−２から同報パケット情報を取得した無線基地局１４−２は、無線基地局１４−２を選択局とする総ての無線端末装置に共通に割り当てられた共通アドレスを宛先アドレスとして含ませた同報パケット情報を生成し送信する。
【００４９】
無線端末装置１６−ｋは、選択局として選択した無線基地局１４−２から送信された同報パケット情報を共通アドレスに基づいて取得し、同報パケット情報から同報データを取得する。
【００５０】
このようにして、情報源装置１０Ａから送信された同報パケット情報は、通信網１０Ｂ、情報転送装置１２、通信ポート２０−２、および無線基地局１４−２を介して送信される。これによって、無線端末装置１６−ｋはユーザが要求する同報データを取得することができる。
【００５１】
本実施形態に係る情報転送装置１２では、同報配信テーブルＤＴを参照することによって、配信要求情報が取得された通信ポートのみから同報パケット情報を送信する。このような処理によれば、総ての通信ポートから同報パケット情報を送信する必要がないため、情報転送装置１２が処理すべき情報量を低減することができる。
【００５２】
なお、上記では、３台の無線基地局を備える通信システム１０２について説明した。このようなシステムの他、情報転送装置１２に接続される任意の台数の無線基地局を備える通信システムを構成することが可能である。この場合、情報転送装置１２には無線基地局の台数に応じた通信ポートの数を設ける。そして、設けられた通信ポートに応じたルーティングテーブルＲＴおよび同報配信テーブルＤＴが生成されるよう情報転送装置１２を構成すればよい。
【図面の簡単な説明】
【００５３】
【図１】本発明の実施形態に係る通信システム１０２の構成を示す図である。
【図２】情報転送装置１２と無線端末装置１６−ｋとの間の通信経路を確立する処理、および無線端末装置１６−ｋが同報パケット情報を取得するために事前に行われる処理を示す図である。
【図３】パケット情報および同報パケット情報の構成を示す図である。
【図４】同報配信テーブルＤＴおよび同報データテーブルＣＴを示す図である。
【図５】通信システム１００の構成を示す図である。
【符号の説明】
【００５４】
１０  公衆通信網、１０Ａ  情報源装置、１０Ｂ  通信網、１０Ｃ  データ記憶部、１０Ｄ  配信先記憶部、１２  情報転送装置、１４−１〜１４−３  無線基地局、１６−１〜１６−ｎ  無線端末装置、１８  テーブル記憶部、２０−０〜２０−３  通信ポート、１００，１０２  通信システム、ＣＴ  同報データテーブル、ＲＴ  ルーティングテーブル、ＤＴ  同報配信テーブル。
【図１】
2009049830.tif 000003
【図２】
2009049830.tif 000004
【図３】
2009049830.tif 000005
【図４】
2009049830.tif 000006
【図５】
2009049830.tif 000007